(57)【要約】【課題】  未使用時には非常にコンパクトにすることができると共に、構造を簡単にして、軽量化し、安価に製造することができる電動昇降椅子を提供することを目的とする。【解決手段】  床面Ｆに設置されるベース部１と、ベース部１に立設されるガイド枠体２と、ガイド枠体２に沿って昇降可能な昇降枠体３と、昇降枠体３に付設される座部４及び背部19と、昇降枠体３を昇降させる電動駆動装置５と、を備えた電動昇降椅子に於けるものである。ベース部１は、床面Ｆに接触する左右脚部７，７と、脚部７，７にて支持された左右方向水平状の枢支杆部６と、から成るメインフレーム10を有する。さらに、ガイド枠体２はその上下中間位置にて枢支杆部６に回転自在に枢支されている。かつ、ガイド枠体２と座部４と背部19は、枢支杆部６を揺動中心として揺動して水平状の未使用状態に切換可能に構成されているものである。【選択図】  図１
2007068920.tif 000002
【特許請求の範囲】
【請求項１】
床面（Ｆ）に設置されるベース部（１）と、該ベース部（１）に立設されるガイド枠体（２）と、該ガイド枠体（２）に沿って昇降可能な昇降枠体（３）と、該昇降枠体（３）に付設される座部（４）及び背部（19）と、上記昇降枠体（３）を昇降させる電動駆動装置（５）と、を備えた電動昇降椅子に於て、
上記ベース部（１）は、床面（Ｆ）に接触する左右脚部（７)(７）と、該脚部（７)(７）にて支持された左右方向水平状の枢支杆部（６）と、から成るメインフレーム（10）を有し、上記ガイド枠体（２）はその上下中間位置にて上記枢支杆部（６）に回転自在に枢支され、かつ、ガイド枠体（２）と上記座部（４）と上記背部（19）は、該枢支杆部（６）を揺動中心として揺動して水平状の未使用状態に切換可能に構成されていることを特徴とする電動昇降椅子。
【請求項２】
上記メインフレーム（10）は、一本のパイプ（Ｐ）から形成されている請求項１記載の電動昇降椅子。
【請求項３】
上記脚部（７）は、前後水平方向に伸びる接地杆体（16）と、該接地杆体（16）の後端に湾曲部（17）を介して連設される上方前傾状の支持杆体（18）と、から成っている請求項１又は２記載の電動昇降椅子。
【請求項４】
上記未使用状態から使用状態に切り換える際に、上記ガイド枠体（２）の下端部を自動的に位置決め固定して該ガイド枠体（２）を起立状の上記使用状態に保つ起立ロック機構（９）を具備する請求項１，２又は３記載の電動昇降椅子。
【請求項５】
上記起立ロック機構（９）は、上記ガイド枠体（２）の下端部に設けられたガイドピン（11）と、上下に揺動可能に上記ベース部（１）に付設されたストッパープレート（24）と、該ストッパープレート（24）に配設されると共に上記ガイド枠体（２）の下端部を保持する上方開口樋状の受け部材（15）と、上記ストッパープレート（24）を上記ガイドピン（11）側へ弾発付勢するバネ部材（13）と、を備え、上記ストッパープレート（24）は、上記ガイドピン（11）が相対的に摺動するカム部（12）と、ガイドピン（11）が入り込む逃げ用切欠部（14）と、を有している請求項４記載の電動昇降椅子。
【発明の詳細な説明】
【技術分野】
【０００１】
本発明は、電動にて昇降する座部及び背部を備えた電動昇降椅子に関する。
【背景技術】
【０００２】
足腰の弱い老人（高齢者）や足が不自由な人が、立ち上がったり座ったりし易いように座部及び背部（背もたれ）が昇降する昇降椅子がある。
従来の昇降椅子には、例えば、床面に載置される支持体（フレーム）に、椅子本体を電気モータにて昇降可能に設けたものがある（特許文献１参照）。
【特許文献１】特開２００１−５７９１９号公報
【発明の開示】
【発明が解決しようとする課題】
【０００３】
しかし、従来の電動昇降椅子は、広い載置スペースが必要であり、収納しにくく、また、運搬することが困難であった。
そこで、本発明は、未使用時には非常にコンパクトにすることができると共に、構造を簡単にして、軽量化し、安価に製造することができる電動昇降椅子を提供することを目的とする。
【課題を解決するための手段】
【０００４】
上記目的を達成するために、本発明に係る電動昇降椅子は、床面に設置されるベース部と、該ベース部に立設されるガイド枠体と、該ガイド枠体に沿って昇降可能な昇降枠体と、該昇降枠体に付設される座部及び背部と、上記昇降枠体を昇降させる電動駆動装置と、を備えた電動昇降椅子に於て、上記ベース部は、床面に接触する左右脚部と、該脚部にて支持された左右方向水平状の枢支杆部と、から成るメインフレームを有し、上記ガイド枠体はその上下中間位置にて上記枢支杆部に回転自在に枢支され、かつ、ガイド枠体と上記座部と上記背部は、該枢支杆部を揺動中心として揺動して水平状の未使用状態に切換可能に構成されているものである。
【０００５】
また、上記メインフレームは、一本のパイプから形成されている。
また、上記脚部は、前後水平方向に伸びる接地杆体と、該接地杆体の後端に湾曲部を介して連設される上方前傾状の支持杆体と、から成っているものである。
【０００６】
また、上記未使用状態から使用状態に切り換える際に、上記ガイド枠体の下端部を自動的に位置決め固定して該ガイド枠体を起立状の上記使用状態に保つ起立ロック機構を具備するものである。
また、上記起立ロック機構は、上記ガイド枠体の下端部に設けられたガイドピンと、上下に揺動可能に上記ベース部に付設されたストッパープレートと、該ストッパープレートに配設されると共に上記ガイド枠体の下端部を保持する上方開口樋状の受け部材と、上記ストッパープレートを上記ガイドピン側へ弾発付勢するバネ部材と、を備え、上記ストッパープレートは、上記ガイドピンが相対的に摺動するカム部と、ガイドピンが入り込む逃げ用切欠部と、を有している。
【発明の効果】
【０００７】
本発明は、次のような著大な効果を奏する。
本発明に係る電動昇降椅子によれば、ガイド枠体と座部及び背部を揺動して容易かつ迅速に使用状態と未使用状態とに切り換えることができ、ガイド枠体等を水平状の未使用状態とすれば、特に（本発明の電動昇降椅子の）全体の高さ寸法を小さく（低く）することができる。このことにより、本発明の電動昇降椅子を使用しない場合は、非常にコンパクトな未使用状態にすることができ、押入れや倉庫等に収納し易く、車等に乗せて運搬もし易い。
さらに、ガイド枠体はその上下中間位置にて枢支杆部に回転自在に枢支されているので、使用状態と未使用状態とを切り換える際に、バランスが取り易くスムースかつ容易に切り換えることができ、また、ガイド枠体を水平状とする未使用状態に於て、安定して載置することができる。
また、ベース部は、床面に接触する左右脚部と、脚部にて支持された左右方向水平状の枢支杆部と、から成るメインフレームを有しているので、構造が簡単になり、軽量化できかつ安価に製造することができる。
【発明を実施するための最良の形態】
【０００８】
以下、実施の形態を示す図面に基づき本発明を詳説する。
図１と図２と図３は、本発明の電動昇降椅子の座部４に使用者（足腰の弱い老人や足が不自由な身体障害者等）が座ることのできる状態───使用状態───を示し、図４と図５は、背部（背もたれ）19を水平状に倒した状態───未使用状態───である。また、図６と図７は、要部説明図である。
【０００９】
まず、図１〜図３に示す使用状態に於て、本発明の電動昇降椅子は、床面Ｆに設置されるベース部１と、ベース部１に立設されるガイド枠体２と、ガイド枠体２に沿って昇降可能な昇降枠体３と、その昇降枠体３に付設される座部４及び背部19と、を備えている。なお、図１と図２は座部４と背部19が最下位置に配置された状態を示し、図３は座部４と背部19が最下位置から上昇した状態を示す。
【００１０】
ベース部１は、一本のパイプＰから形成されているメインフレーム10と、メインフレーム10の下部に配設される補助連結部材８と、を有している。
メインフレーム10は、床面Ｆに接触する左右脚部７，７と、その脚部７，７の上端にて一体状に支持された左右方向水平状の枢支杆部６と、から成っており、さらに、各脚部７は、前後水平方向に伸びる接地杆体16と、接地杆体16の後端に湾曲部17を介して連設される上方前傾状の支持杆体18と、から成っている。
また、補助連結部材８の両端は、接地杆体16，16の前後中間位置に連結され、左右方向水平状に配置されている。
【００１１】
ガイド枠体２は僅かに上方後傾状にベース部１に保持され、ガイド枠体２の上下中間位置はベース部１の枢支杆部６に回転自在に枢支されている。そして、ガイド枠体２と座部４と背部19は、枢支杆部６を揺動中心として揺動して水平状の未使用状態（図４及び図５参照）に切換可能に成っている。
【００１２】
具体的には、ガイド枠体２は、上下方向に伸びる左右のガイドレール20，20と、ガイドレール20，20の各上端を連結する上部連結部21と、ガイドレール20，20の各下端を連結する下部連結部22と、を有している。各ガイドレール20，20の上下中間位置には、枢支杆部６を回転可能に保持する枢結部23，23を備えている。
【００１３】
また、未使用状態から使用状態に切り換える際に、ガイド枠体２の下端部を自動的に位置決め固定してガイド枠体２を起立状の使用状態に保つ起立ロック機構９を具備し、起立ロック機構９はベース部１の補助連結部材８の上に取り付けられている。
【００１４】
この起立ロック機構９の構成について具体的に説明する。
図７に示すように、起立ロック機構９は、ガイド枠体２（ガイドレール20）の下端部に設けられたガイドピン11と、上下に揺動可能にベース部１に付設されたストッパープレート24と、ストッパープレート24に配設されると共にガイド枠体２の下端部を保持する上方開口樋状の受け部材15と、ストッパープレート24をガイドピン11側へ弾発付勢するバネ部材13と、を有している。
【００１５】
ストッパープレート24は、取付部材25にて補助連結部材８に取り付けられている。
取付部材25は、補助連結部材８上に互いに離れて配置された左右直立片28，28と、左右直立片28，28の間に配設される軸部26と、を有し（図５参照）、ストッパープレート24の前端部は軸部26に上下方向揺動自在に取り付けられている。
また、ガイドピン11は、左右のガイドレール20，20の下端部にそれぞれ１個ずつ設けられ、ストッパープレート24も各ガイドピン11に対応して軸部26に左右１個ずつ配設されている。
【００１６】
ストッパープレート24には、ガイドピン11が相対的に摺動するカム部12と、ガイドピン11が入り込む逃げ用切欠部14とが形成されている。詳しくは、カム部12はストッパープレート24の後端上縁から（前後）中間上縁に渡って形成され、逃げ用切欠部14はカム部12の前端に連続状に形成されている。さらに、取付部材25の軸部26には、カム部12をガイドピン11側へ弾発付勢するバネ部材13が設けられ、ストッパープレート24の前端部には、バネ部材13の弾発付勢に対抗してストッパープレート24を所定の位置で固定するための掛止爪部27が設けられている。なお、掛止爪部27は直立片28の前方の端縁に当接するようになっている。
また、受け部材15は、ストッパープレート24のカム部12の下方に配設され、ストッパープレート24と共に軸部26を揺動中心として揺動可能となっている。
なお、図２と図５に於て、起立ロック機構９の構成の一部（ストッパープレート24等）を図示省略している。
【００１７】
また、図１と図３に於て、ガイド枠体２の左右のガイドレール20，20の間には、昇降枠体３を昇降駆動させる昇降機構29が設けられている。
昇降機構29は、ガイド枠体２の下部連結部22に立設される筒状の固定管体30と、固定管体30の上方開口端30ａから摺動自在に挿入される摺動杆31と、を有し、固定管体30の下部には、摺動杆31を上下に摺動（昇降）させるための電動駆動装置５が取り付けられている。また、摺動杆31の上端部は昇降枠体３の背面に付設され、昇降枠体３は、左右のガイドレール20，20に沿って転動自在の複数個のローラ33を備えている。
【００１８】
昇降枠体３の正面に付設された背部19の左右には一対の肘掛け32，32が取り付けられ、背部19の下方には座部４が設けられている。この肘掛け32，32と座部４は、使用状態では水平状に配置され、上向きに折り畳み可能となっている。具体的には、肘掛け32及び座部４は、それぞれの後端（基端）を中心に、昇降枠体３に上下揺動可能に付設されている。
【００１９】
また、肘掛け32の前端部（先端部）には、電動駆動装置５を操作して昇降枠体３を昇降させる操作部34が取り付けられている。そして、ガイド枠体２の背面側に取り付けられたカバー体35内には、操作部34と電動駆動装置５を電気的に接続する図示省略の配線や電子基板等が、収納されている。
【００２０】
図４と図５に示す未使用状態について説明すると、ガイド枠体２は、その下端部が起立ロック機構９のロック状態が解除され水平状に配設され、昇降枠体３及び昇降枠体３に付設された背部19も水平状となっている。また、座部４と肘掛け32，32は（背部19と平行になるように）折り畳まれて水平状に配設されている。なお、背部19の前面（図４と図５に於て下面）と座部４の上面（図４と図５に於て上面）は、接触した状態となっている。
また、図示省略するが、ガイド枠体２の水平状態（未使用状態）の姿勢を維持するためのストッパが枢支杆部６又は枢結部23等に設けられている。
【００２１】
本発明の電動昇降椅子は設計変更自由であり、図７に示す起立ロック機構９の使用状態（ロック状態）に於て、起立ロック機構９のガイド枠体２の下端部を保持する力を高めて安全性を向上させるために、ガイド枠体２の下端部と受け部材15とを連結するネジ等の止め部材を設け（図示省略）、未使用状態（ロック解除状態）にする際は、その止め部材を外すようにしても自由である。
また、一本のパイプＰから形成されるメインフレーム10の接地杆体16に、床面Ｆに接触する滑止め部材を取り付けていてもよい。
また、電動駆動装置５に供給される電力は、外部電源から供給しても、バッテリを内蔵するようにしてもよい（図示省略）。
【００２２】
上述した本発明の電動昇降椅子の使用方法（作用）について説明する。
まず、図１と図２に示す使用状態から、図４と図５に示す未使用状態にする場合について説明する。
初めに、（図３に示すような）座部４が上方位置にある場合は、操作部34を操作して、座部４をほとんど最下位置（未使用状態にするための所定位置）に来るようにする。
そして、図１に於て、座部４及び左右の肘掛け32，32を上方へ揺動させて折り畳む。この状態で座部４及び肘掛け32，32は、背部19と平行な状態に折り畳まれている。
【００２３】
図７に示すように、起立ロック機構９はロック状態にあり、ストッパープレート24を下方に揺動させ、ガイドピン11を逃げ用切欠部14内から離脱させると共に、ガイド枠体２の下端部を受け部材15内から離脱させる。
そして、ガイド枠体２の下端部とガイドピン11を離脱させた状態のまま、ガイド枠体２をベース部１の枢支杆部６を中心に左回り（反時計回り）に回転させる（図１参照）。言い換えれば、ガイド枠体２の上端部を前方へ揺動させ、下端部を後方へ揺動させる。また、この時、昇降枠体３に付設された背部19・座部４・肘掛け32，32は、ガイド枠体２と共に枢支杆部６を中心として左回りに回転（揺動）し、ガイド枠体２と背部19・座部４・肘掛け32，32が図４に示すような水平状態となった時に、図示省略のストッパにてガイド枠体２が係止され位置決め固定される。以上のようにして、本発明の電動昇降椅子は図４と図５に示す未使用状態とすることができる。
【００２４】
次に、未使用状態から使用状態とする場合について説明する。
図４に於て、ガイド枠体２の回転を防止して水平状態を維持する（図示省略の）上記ストッパの係止を解除し、ガイド枠体２を枢支杆部６を中心に右回り（時計回り）に回転させる。なお、この時、背部19・座部４・肘掛け32，32も、ガイド枠体２と共に枢支杆部６を中心として右回りに回転（揺動）する。
【００２５】
このようにして、ガイド枠体２の下端部を右回りに回転（下方へ揺動）させると、図６に示すように、ガイド枠体２の下端部に設けられたガイドピン11がストッパープレート24のカム部12に接触する。さらに、ガイド枠体２の下端部が前方へ揺動（右回りに回転）すると、ガイドピン11がカム部12に沿って前方へ摺動しつつ、バネ部材13の弾発付勢にうち勝ってストッパープレート24を下方へ揺動させる。ガイドピン11がカム部12を摺動しながら前方へ移動すると、逃げ用切欠部14内に入り込むと同時に、（バネ部材13の弾発付勢にて）ガイド枠体２の下端部は受け部材15内に嵌め込まれて保持され、図７に示すロック状態となる。
【００２６】
つまり、ガイド枠体２を右回りに回転させると、ガイド枠体２は起立ロック機構９にて自動的にロックされて保持され、立設される（図１参照）。そして、座部４及び肘掛け32，32を上向きに折り畳まれた状態から、下方に揺動させて水平状に配置し、使用状態とすることができる。
【００２７】
以上のように、本発明の電動昇降椅子は、床面Ｆに設置されるベース部１と、ベース部１に立設されるガイド枠体２と、ガイド枠体２に沿って昇降可能な昇降枠体３と、昇降枠体３に付設される座部４及び背部19と、昇降枠体３を昇降させる電動駆動装置５と、を備えた電動昇降椅子に於て、ベース部１は、床面Ｆに接触する左右脚部７，７と、脚部７，７にて支持された左右方向水平状の枢支杆部６と、から成るメインフレーム10を有し、ガイド枠体２はその上下中間位置にて枢支杆部６に回転自在に枢支され、かつ、ガイド枠体２と座部４と背部19は、枢支杆部６を揺動中心として揺動して水平状の未使用状態に切換可能に構成されているので、ガイド枠体２と座部４及び背部19を揺動して容易かつ迅速に使用状態と未使用状態とに切り換えることができ、ガイド枠体２等を水平状の未使用状態とすれば、特に（本発明の電動昇降椅子の）全体の高さ寸法を非常に小さく（低く）することができる。このことにより、本発明の電動昇降椅子を使用しない場合は、コンパクトな未使用状態にすることができ、押入れや倉庫等に収納し易く、車等に乗せて運搬もし易い。
さらに、ガイド枠体２はその上下中間位置にて枢支杆部６に回転自在に枢支されているので、使用状態と未使用状態とを切り換える際に、バランスが取り易くスムースかつ容易に切り換えることができ、また、ガイド枠体２を水平状とする未使用状態に於て、安定して載置することができる。
また、ベース部１は、床面Ｆに接触する左右脚部７，７と、脚部７，７にて支持された左右方向水平状の枢支杆部６と、から成るメインフレーム10を有しているので、構造が簡単になり、軽量化できかつ安価に製造することができる。
【００２８】
また、メインフレーム10は、一本のパイプＰから形成されているので、ベース部１の構造が非常に簡単なものとなる。従って、製造コストを大幅に削減することができると共に、軽量化することができ運搬もし易くなる。
【００２９】
また、脚部７は、前後水平方向に伸びる接地杆体16と、接地杆体16の後端に湾曲部17を介して連設される上方前傾状の支持杆体18と、から成っているので、使用状態と未使用状態とを切り換える際に、バランスが取り易くスムースにかつ容易に切り換えることができ、また、ガイド枠体２を水平状とする未使用状態に於て、安定して載置することができる。
【００３０】
また、未使用状態から使用状態に切り換える際に、ガイド枠体２の下端部を自動的に位置決め固定してガイド枠体２を起立状の使用状態に保つ起立ロック機構９を具備するので、ガイド枠体２をベース部１にスムースにかつ確実に立設させることができ、未使用状態から使用状態への切換作業を楽に行うことができる。
【００３１】
また、起立ロック機構９は、ガイド枠体２の下端部に設けられたガイドピン11と、上下に揺動可能にベース部１に付設されたストッパープレート24と、ストッパープレート24に配設されると共にガイド枠体２の下端部を保持する上方開口樋状の受け部材15と、ストッパープレート24をガイドピン11側へ弾発付勢するバネ部材13と、を備え、さらに、ストッパープレート24は、ガイドピン11が相対的に摺動するカム部12と、ガイドピン11が入り込む逃げ用切欠部14と、を有しているので、使用状態と未使用状態との切換作業を簡単に行うことができる。また、起立ロック機構９はガイド枠体２の下端部をスムースにかつ位置決めして確実に保持することができる。従って、使用状態で使用者が背部19にもたれても、背部19（ガイド枠体２）が回転することがなく安全である。
【図面の簡単な説明】
【００３２】
【図１】本発明の使用形態を示す側面図である。
【図２】正面図である。
【図３】側面図である。
【図４】未使用状態を示す側面図である。
【図５】正面図である。
【図６】要部説明図である。
【図７】要部説明図である。
【符号の説明】
【００３３】
１  ベース部
２  ガイド枠体
３  昇降枠体
４  座部
５  電動駆動装置
６  枢支杆部
７  脚部
９  起立ロック機構
10  メインフレーム
11  ガイドピン
12  カム部
13  バネ部材
14  逃げ用切欠部
15  受け部材
16  接地杆体
17  湾曲部
18  支持杆体
19  背部
24  ストッパープレート
Ｆ  床面
Ｐ  パイプ
【図１】
2007068920.tif 000003
【図２】
2007068920.tif 000004
【図３】
2007068920.tif 000005
【図４】
2007068920.tif 000006
【図５】
2007068920.tif 000007
【図６】
2007068920.tif 000008
【図７】
2007068920.tif 000009